(57)【要約】【課題】  複合媒体取扱装置など同一挿入口から払込書及び通帳を取り込んで処理する装置において、操作者が払込書の天地又は表裏を間違えて挿入した場合であっても再挿入の必要がない帳票類取扱装置。【解決手段】  媒体ＰがＰ５の位置に到達すると、ＯＣＲスキャナ部７で当該媒体Ｐ表面の画像が読取られ、媒体Ｐのフォーマットパターンと比較判別される。この比較判別によって媒体Ｐの挿入方向が判別される。この挿入方向の判別の結果「裏」搬送である場合、媒体Ｐの表裏を反転するために、分岐ゲートＧを左側に回動して、搬送ローラ対４１ｉを正回転し、搬送ローラ対４１ｃ、４１ｂを逆回転させる。この結果、一時保留搬送路４７、分岐搬送路４５、左搬送路４０Ｌが連結され、媒体Ｐは位置Ｐ６を経て位置Ｐ７に達し、媒体Ｐの表裏が反転される。次に、分岐ゲートＧを初期位置に戻して、媒体Ｐを位置Ｐ８、Ｐ９、Ｐ１０と搬送して媒体Ｐ表面の画像を再度読取る。【選択図】  図１０
2006107006.tif 000002
【特許請求の範囲】
【請求項１】
挿入口から挿入された帳票類を往復搬送する第１の搬送手段と、
この第１の搬送手段から分岐し、前記帳票類を往復搬送する第２の搬送手段と、
前記第１の搬送手段と、前記第２の搬送手段を連結し、前記帳票類を搬送する複数の分岐搬送手段と、
前記第１の搬送手段の途中に配置され、何れかの前記分岐搬送手段に前記帳票類を搬送させるための分岐ゲートと、
前記第1の搬送手段又は前記第２の搬送手段に設けられた前記帳票類の画像を読取る画像読取手段と、
この画像読取手段によって読取られた画像に基づいて搬送される前記帳票類の挿入方向を判別する挿入方向判別手段と、
この挿入方向判別手段による判別の結果、前記帳票類の挿入方向が裏搬送の場合、前記分岐ゲートによって前記分岐搬送手段を切換え、前記帳票類の挿入方向を表搬送にする表裏反転手段と
を備えたことを特徴とする帳票類取扱装置。
【請求項２】
前記分岐搬送手段は、
前記分岐ゲートに対して前記第１の搬送手段の搬送方向上流と搬送方向下流とを前記分岐ゲートによって連結して前記帳票類を往復搬送する第１の分岐搬送手段と、
前記第１の搬送手段と、前記第２の搬送手段とを前記分岐ゲートを一方に回動することによって連結し、前記帳票類の表裏を変更しないで往復搬送する第２の分岐搬送手段と、
前記第１の搬送手段と、前記第２の搬送手段とを前記分岐ゲートを他方に回動することによって連結し、前記帳票類の表裏を変更して進退自在に搬送する第３の分岐搬送手段と
を備えたことを特徴とする請求項１記載の帳票類取扱装置。
【請求項３】
挿入口から挿入された帳票類及び通帳を往復搬送する第１の搬送手段と、
この第1の搬送手段に配置され、挿入された帳票類及び通帳に印字などの処理を行う処理ユニットと、
前記第１の搬送手段から分岐し、前記帳票類を往復搬送する第２の搬送手段と、
前記第１の搬送手段と、前記第２の搬送手段を連結し、前記帳票対を往復搬送する複数の分岐搬送手段と、
前記第１の搬送手段の途中に配置され、何れかの前記分岐搬送手段に前記帳票類を搬送させるための分岐ゲートと、
前記第1の搬送手段又は前記第２の搬送手段に設けられた前記帳票類の画像を読取る画像読取手段と、
この画像読取手段によって読取られた画像に基づいて搬送される前記帳票類の挿入方向を判別する挿入方向判別手段と、
この挿入方向判別手段による判別の結果、前記帳票類の挿入方向が裏搬送の場合、前記分岐ゲートによって前記分岐搬送手段を切換え、前記帳票類の挿入方向を表搬送にする表裏反転手段と、
前記帳票類が挿入されたとき、この帳票類の画像を前記画像読取手段で読み取り、前記挿入方向判別手段で判別後、この帳票類を待機し、この待機時に前記通帳が挿入されたとき、前記第１の搬送路に配置された処理ユニットで処理後、操作者に当該通帳を返却し、前記待機した帳票類を前記処理ユニットで印字して帳票類収納庫に収納する制御手段と
を備えたことを特徴とする帳票類取扱装置。
【発明の詳細な説明】
【技術分野】
【０００１】
本発明は、例えば払込書などの帳票類を取り扱う帳票類取扱装置に関する。
【背景技術】
【０００２】
帳票類取扱装置には、例えば自動預払装置に搭載される複合媒体取扱装置が知られている。この複合媒体取扱装置は、同一挿入口より規定の払込書及び通帳を取り込んで処理することができる。この通帳には複数種類の形状があるが、この何れの通帳も処理可能である。
【０００３】
払込書は、取り込み、搬送、イメージ読み取り、文字認識、印字が行われ装置内部の収納部に収納される。
【０００４】
通帳は、取り込み、搬送、磁気読取・書込、イメージ読み取り、ページマーク読取、印字が行われ装置の接客口に返却される。
【０００５】
複合媒体取扱装置には、払込書及び通帳が同一挿入口から挿入されるので、この払込書及び通帳に関する一連の処理を行うために、取込機構、駆動分割された搬送機構、幅寄せ機構、装置内媒体一時保留機構、磁気読取・書込機構、通帳ページ捲り機構、イメージ読取機構、文字印字機構、媒体収納機構、新規通帳発行機構が設けられている。これらの各機構には、各媒体に対応した取扱い手順が設定されており、この設定に従ってシーケンシャルな動作が行われる。
【０００６】
一方、払込書ユニットにおいて、操作者が上記払込書の前後（天地のこと）又は表裏を間違えて挿入した場合、上記イメージ読取機構が当該払込書の挿入方向を検知し、検知された挿入方向に基づいて払込書の処理を行う帳票類取扱装置が知れれている（例えば、特許文献１参照。）。
【特許文献１】特開２００２−１９２７８５号公報（第１―３頁、図３）
【発明の開示】
【発明が解決しようとする課題】
【０００７】
しかしながら、特許文献１記載の帳票類取扱装置は、搬送路の上流から下流に向かって払込書の挿入口、表裏反転機構、挿入方向検知手段（イメージセンサ）と配列されており、払込書１枚のみの取扱には適しているが、本発明の複合媒体取扱装置には適用できない。すなわち、払込書及び通帳を同時に取り扱う装置では磁気読取・書込機構、イメージ読取機構、文字印字機構などを払込書及び通帳で共通に使用する必要があり、装置内媒体一時保留機構を必要とするという課題がある。また、操作者が払込書の表裏を間違えて挿入した場合の表裏反転機構も同様に必要になるが特許文献１記載の表裏反転機構のように専用の機構ではスペースファクタが悪いという課題がある。
【０００８】
本発明は上記問題を解決するためになされたもので、払込書などの帳票類を取り込んで処理する装置において、操作者が帳票類の前後又は表裏を間違えて挿入した場合であっても再挿入の必要がない帳票類取扱装置を提供することを目的とする。
【課題を解決するための手段】
【０００９】
上記目的を達成するために、本発明の請求項１記載の帳票類取扱装置は、挿入口から挿入された帳票類を往復搬送する第１の搬送手段と、この第１の搬送手段から分岐し、前記帳票類を往復搬送する第２の搬送手段と、前記第１の搬送手段と、前記第２の搬送手段を連結し、前記帳票類を搬送する複数の分岐搬送手段と、前記第１の搬送手段の途中に配置され、何れかの前記分岐搬送手段に前記帳票類を搬送させるための分岐ゲートと、前記第1の搬送手段又は前記第２の搬送手段に設けられた前記帳票類の画像を読取る画像読取手段と、この画像読取手段によって読取られた画像に基づいて搬送される前記帳票類の挿入方向を判別する挿入方向判別手段と、この挿入方向判別手段による判別の結果、前記帳票類の挿入方向が裏搬送の場合、前記分岐ゲートによって前記分岐搬送手段を切換え、前記帳票類の挿入方向を表搬送にする表裏反転手段とを備えたことを特徴とする。
【発明の効果】
【００１０】
本発明によれば、操作者が帳票類の前後又は表裏を間違えて挿入した場合であっても再挿入の必要がない帳票類取扱装置を提供できる。
【発明を実施するための最良の形態】
【００１１】
以下、図面を参照して本発明の実施例を説明する。
【実施例】
【００１２】
図１は、本発明の実施例による複合媒体取扱装置を搭載した自動預払装置の外観図である。自動預払装置９９は、カードユニット１００、複合媒体取扱装置１０１、紙幣を入出金するための紙幣ユニット１０２、操作パネル１０３、硬貨を入出金するための硬貨ユニット１０４、及びこれらの各ユニットと相互に通信を行い、自動預払装置９９を制御する総合制御部から構成される。
【００１３】
次に、図２を参照して複合媒体取扱装置１０１の構成を説明する。図２は、複合媒体取扱装置１０１の概略側断面図である。図３、図４は複合媒体取扱装置１０１で使用される通帳の一例で、図５は払込書の一例である（詳細は後述する）。
【００１４】
複合媒体取扱装置１０１には、通帳２０、２２及び払込書２７からなる媒体の同一挿入口かつ排出口である媒体挿入口２と、この媒体挿入口２から挿入された媒体を図示矢印Ａ方向に搬送する左搬送路４０Ｌ、右搬送路４０Ｒが設けられている。そして、この左右の搬送路４０Ｌ、４０Ｒに沿って媒体挿入口２から、磁気読取・書込部３、表裏反転部４、通帳ページ捲り・幅寄せ部５、ＰＬＦ検知部６、印字部８、及び払込書２７を収納する上段払込書収納庫９と下段払込書収納庫１０とからなる処理ユニットが配置されている。さらに、これらを制御する制御部（制御手段）１０５、媒体を挟持して搬送するための複数の搬送ローラ対４１ａ、４１ｂ、、、、４１ｈ、電源部（図示しない）が設けられている。さらにまた、上記表裏反転部４によって分岐された一時保留搬送路（第２の搬送手段）４７にＯＣＲスキャナ部７が設けられている。したがって、この一時保留搬送路４７は、媒体を一時保留するための搬送路であると共に、この搬送路によって搬送されることによって、媒体Ｐの画像がＯＣＲスキャナ部７によって読取られる。
【００１５】
媒体挿入口２は、上述したように通帳２０、２２及び払込書２７からなる媒体が挿入又は排出されるところである。
【００１６】
磁気読取・書込部３は、磁気ヘッド３１、磁気ヘッドドライバ回路、及び通帳押さえローラ対４１ｄを備えている。図３に示す縦型通帳２０の磁気データを読む場合を例に説明する。なお、図４に示す横型通帳も同様であるため、その説明は省略する。
【００１７】
以下、図３〜図５に示す媒体図も参照しながら説明する。  
磁気ヘッド３１と通帳押さえローラ対４１ｄで搬送される通帳２０が磁気ストライプ２０ａを押圧し、通帳２０の磁気ストライプ２０ａを磁気ヘッド３１に接触させ、磁気ストライプ２０ａの磁気データをリード／ライトする。このようにして読み取られた磁気データは、複合媒体取扱装置１０１の制御部１０５へ通知される。
【００１８】
表裏変換部４は、分岐搬送路（分岐搬送手段）４５、４６、及び分岐ゲートＧを備えている。この分岐ゲートＧによって左搬送路４０Ｌ、右搬送路４０Ｒ、一時保留搬送路４７が必要に応じて連結される。
【００１９】
すなわち、分岐ゲートＧを回動しない場合（第１の分岐搬送手段）、媒体Ｐは、表裏変換部４の左搬送路４０Ｌから右搬送路４０Ｒに搬送される。このとき媒体Ｐの挿入方向は搬送前と同じである。
【００２０】
なお、媒体Ｐの挿入方向とは、媒体Ｐが搬送されるときの状態で以下に示す４種類の挿入方向がある。  
「表・正」：表面を上にして、かつ、正立して搬送される状態。  
「表・逆」：表面を上にして、かつ、倒立して搬送される状態。  
「裏・正」：裏面を上にして、かつ、正立して搬送される状態。  
「裏・逆」：裏面を上にして、かつ、倒立して搬送される状態。
【００２１】
一方、分岐ゲートＧを右側に回動した場合（第２の分岐搬送手段）、右搬送路４０Ｒ、分岐搬送路４６、一時保留搬送路４７が連結され、例えば通帳ページ捲り・幅寄せ部５にあった媒体Ｐは後進しながらＯＣＲスキャナ部７まで搬送される。このとき媒体Ｐの挿入方向は搬送前と同じである。
【００２２】
さらに、分岐ゲートＧを左側に回動した場合（第３の分岐搬送手段）、左搬送路４０Ｌ、分岐搬送路４５、一時保留搬送路４７が連結され、例えばＯＣＲスキャナ部７にあった媒体Ｐは前進しながら左搬送路４０Ｌまで搬送される。このとき媒体Ｐの挿入方向は表裏、正逆が反転する。
【００２３】
通帳ページ捲り・幅寄せ部５は、ページ捲り機構と幅寄せ機構から構成される。通帳ページ捲り機構は、通帳に印字するための印字行が同一ページに不足した場合に自動的にページ捲りを行う。また、幅寄せ機構は、通帳２０、２２の位置ずれによる磁気ストライプ２０ａ、２２ａの誤読、誤書き込みが発生するのを防止するため、搬送される通帳２０、２２を片側に幅寄せ整位する。本実施例では、搬送方向右側に整位する。なお、この整位は、搬送方向左に整位し、それに合わせて関連する機構を設けても同様の効果が達成されるのは当然である。
【００２４】
ＰＬＦ検知部６は、ＬＥＤ照明とモノクロＣＣＤ（ラインセンサ）からなり、搬送される通帳端部に印刷されている通帳のページマーク２０ｂ、２２ｂ、印字済行、及び印字濃度を読み取る。また、複合媒体取扱装置１０１の制御部１０５は、通帳のページマーク２０ｂ、２２ｂのページデータと、当該通帳の磁気ストライプ２０ａ、２２ａから読み取った磁気データ内のページデータとが一致するか判別し、現在開いている通帳のページに誤りがないか確認する。
【００２５】
ＯＣＲスキャナ部７は、照明部とカラーＣＣＤ（ラインセンサ）からなり、搬送される払込書２７のイメージデータを読み取り、その読み取ったデータを複合媒体取扱装置１０１の制御部１０５へ通知する。
【００２６】
上段払込書収納庫９及び下段払込書収納庫１０は、媒体処理の終了した払込書２７が収納される所である。
【００２７】
図６は制御部１０５を説明するためのブロック図である。制御部１０５には、ＣＰＵ（主制御部）１１２、データ処理回路１１３、ＲＡＭ１１４、ＲＯＭ１１５、画像メモリ１１６、Ｉ／Ｏポート１１７、１１８などが搭載されたボードで構成されており、これらは内部バス１１９を通じて相互に通信が行われる。
【００２８】
ＲＯＭ１１５は、この複合媒体取扱装置１０１で実行されるプログラムや各種パラメータが記憶された読み取り専用メモリである。
【００２９】
ＲＡＭ１１４は、プログラム実行のためのワークエリアやデータのストレージのためなどに用いられる読み出しと書き込みが可能なメモリである。
【００３０】
ＣＰＵ１１２は、複合媒体取扱装置１０１の全体的な制御及び各種の演算処理を実行し、この演算処理結果を総合制御部１３０に送信する。
【００３１】
データ処理回路１１３は、磁気ヘッドドライバ回路３２と接続され、磁気ヘッド３１のリード／ライトデータ処理を行う。磁気ヘッドドライバ回路３２は、データ処理回路１１３で生成された磁気ヘッド用の記録データに基づいて磁気ヘッド３１を駆動したり、磁気ヘッド３１によって通帳２０の磁気ストライプ２０ａから読み出された信号の処理を行う。
【００３２】
また、データ処理回路１１３は、印字ドライバ回路８８と接続され、印字部８の印字パターンデータの生成処理などを行う。印字ドライバ回路８８はデータ処理回路１１３によって生成された印字パターンデータに基づいて印字部８の印字ヘッド８４を駆動する。
【００３３】
制御部１０５のＩ／Ｏポート１１８には、ＰＬＦ検知部６が接続される。ＰＬＦ検知部６はイメージを読み取るラインＣＣＤと光源からなるイメージリーダで、このＰＬＦ検知部６によって、ページマーク、印字済み行、印字濃度が読取られる。
【００３４】
制御部１０５のデータ処理回路１１３には、ＯＣＲスキャナ部７が接続されている。ＯＣＲスキャナ部（画像読取手段）７に収納されている記載していないＯＣＲ（光学式文字読み取り）によって帳票（この場合、払込書）から読み出されたイメージは、データ処理回路１１３、内部バス１１９を通して画像メモリ１１６に蓄積される。
【００３５】
この画像メモリ１１６に蓄積された帳票イメージに対してＣＰＵ１１２によって文字認識が行われる。
【００３６】
また、Ｉ／Ｏポート１１７には、例えば出入口２に配置された搬送ローラ対４１ａをはじめとする各種モータやソレノイドの動力源に駆動信号を供給したり、例えば出入口２に配置した光学センサ８６などの受光部をパルス点灯するために電圧を供給したり、これら光学センサ８６の出力を増幅する増幅器を収納するドライバ回路１２０が接続されている。
【００３７】
また、ＣＰＵ１１２は、ドライバ回路１２０を通して入力された上記光学センサ８６からの出力を演算処理し、出入口に放出された媒体の媒体種別を判別し、この判別結果に伴なうガイダンスデータを総合制御部１３０に伝送し、操作パネル１０３及び図示していない音声案内でガイダンスを行う。
【００３８】
総合制御部１３０は、複合媒体取扱装置１０１、カードユニット１００、紙幣ユニット１０２、硬貨ユニット１０４、操作パネル１０３で構成される自動預払装置９９の各ユニットと相互に通信を行い、自動預払装置９９を制御する。また、総合制御部１３０は他のオンラインで接続された図示しないセンターとの間で通信を行うことが可能であり、自動預払装置９９の取引結果をセンターに通知する。
【００３９】
ここで、通帳２０が処理される場合の基本的な動作を説明する。通帳処理を行う場合は、タッチパネルなどの操作パネル１０３によって、画面ガイダンス、音声ガイダンス等の指示に従い例えば通帳記帳などの取引を選択する。通帳記帳取引が選択されると、操作パネル１０３には通帳挿入の画面ガイダンス等が行われる。
【００４０】
操作者が通帳２０を複合媒体取扱装置１０１の挿入部２に挿入すると、図示しないセンサーに検知され、搬送ローラ対４１ａがモータによって回転し、通帳２０を装置内に取り込む。
【００４１】
取り込まれた通帳２０は通帳ページ捲り・幅寄せ部５によって搬送方向の右側に寄せられて磁気読取・書込部３で通帳の磁気ストライプからデータが読み取られる。読み取られたデータは制御部１０５へ通知される。
【００４２】
次に、ＰＬＦ検知部６によって、ページマーク、印字済み行、印字濃度が読取られる。この読取結果に基づいて、ページ判定、印字行（空白行：印字開始行）判定、印字状態チェックが行われる。その結果は前述の制御部１０５へ通知される。主制御部１０５は、先の磁気データ内の印字行データと、ＰＬＦ検知部６で読み取った印字済み行が一致するかチェックする。チェックの結果一致すると自動預払装置９９の総合制御部１３０は、センターとのオンライン伝送を行い、当該口座についての記帳データを入手し、そのデータを制御部１０５へ送信して印字部８で通帳２０に印字を行う。所定の印字が終了すれば（必要に応じて通帳ページ捲り部５にて改ページが行われる）通帳２０はＰＬＦ検知部６にて印字濃度をチェックした上で挿入口２へと返却搬送する。
【００４３】
次に、払込書が処理される場合の基本的な動作を説明する。払込処理を行う場合は、タッチパネルなどからなる操作パネル１０３により、画面ガイダンス、音声ガイダンス等の指示に従い例えば払込取引を選択する。払込取引が選択されると、操作パネル１０３には払込書挿入の画面ガイダンス等が行われる。
【００４４】
操作者が払込書２７を複合媒体取扱装置１０１の挿入部２に挿入すると、図示しないセンサーに検知され、搬送ローラ対４１ａがモータによって回転し、払込書２７を装置内に取り込む。払込書２７はＯＣＲスキャナ７によって読取られ、データ処理回路１１３の画像処理部によって払込先、口座番号２８ａ、２８ｂ、金額２９ａ、２９ｂなどの文字認識が行われる。また、払込人住所氏名３０ａ、３０ｂの文字の有無、払込書２７の種別等の確認がなされ、操作パネル１０３には、口座番号２８ａなどの読み取られたイメージと文字認識された結果が上下に並んで表示される。操作者が文字認識内容に問題ないことを確認するために操作パネル１０３上の必要なキーを押すことにより、紙幣ユニット１０２、硬貨ユニット１０４などの現金を取り扱うユニット、又はカードによる入金などの場合はカードユニット１００へのカード投入が指示され、払込書２７に示された口座２８ａ、２８ｂへの払込などの処理がなされる。その後、払込書２７は印字部８に搬送され、印字部８により受付局日附印３４ａなどの必要な印字がなされる。更に、文字認識用ＯＣＲスキャナ７で特定箇所の印字が読み取られデータ処理回路１１３の画像処理部によって印字濃度のＯＫ／ＮＧの判定がなされ、その結果を自動預払装置９９の総合制御部１３０へ通知する。その後、搬送切り替えゲート（図示しない）により上段払込書収納庫９、または、下段払込書収納庫１０に収納される。
【００４５】
なお、本実施例のように払込書及び通帳を共に処理する場合は、まず払込書をＯＣＲスキャナ７で読み取り後、その場に待機して、通帳を取り込んで磁気読取・書込部３で磁気データのリード処理後、上記センターとのオンライン伝送を行い、当該口座についての記帳データを入手し、通帳を搬送路４０Ｒ側に退避させ（図示しない）る。次に、待機している払込書を搬送路４０Ｒに搬送して印字部６で印字を行って上段払込書収納庫９、下段払込書収納庫１０の収納庫に収納する。その後、退避した通帳に印字部６で記帳データを印字し、ＰＬＦ検知部６で印字濃度を確認し、磁気読取・書込部３で磁気データの書き込みを行い挿入口２に返却する。
【００４６】
次に、図７を参照して媒体Ｐが払込書の場合で、正常に挿入された場合の搬送位置を説明する。図中媒体Ｐの搬送位置をＰ１〜Ｐ７で示してある。
【００４７】
媒体Ｐが媒体挿入口２から挿入されると（図７の位置Ｐ１）、搬送ローラ対４１ａで挟持されて図示矢印Ａ方向に搬送される。このとき、図示しないセンサーによって媒体の形状が検知される。この検知によって当該媒体が払込書であることが認識される。
【００４８】
さらに搬送されて、図７の位置Ｐ２を経て図７の位置Ｐ３に到達する。この場合、媒体Ｐが払込書であり磁気ストライプがないため、磁気読取・書込部３によって払込書に磁気読取・書込は行われない。
【００４９】
さらに媒体Ｐが搬送されて、通帳ページ捲り・幅寄せ部５で搬送方向に向かって右側に整位される。従って、図７の位置Ｐ３では整位された状態で停止する。この場合、媒体Ｐが払込書であるため、通帳ページ捲り機構は動作しない。
【００５０】
次に、分岐ゲートＧを右側に回動し、搬送ローラ対４１ｄ、４１ｅ、４１ｆ、４１ｉを逆回転することによって、媒体Ｐは後進搬送され、分岐ゲートＧによって位置Ｐ３から分岐搬送路４６に進路変更される（図７の位置Ｐ４）。さらに後進搬送された媒体Ｐは、ＯＣＲスキャナ部７で当該媒体Ｐ表面の画像が読取られ、図７の位置Ｐ５まで搬送されて停止する。
【００５１】
このようにして、媒体Ｐ表面の画像が読取られ、画像メモリ１１６に記憶されている媒体のフォーマットパターンと比較判別される。この比較判別によって媒体Ｐの挿入方向である表裏、正逆が判別される（挿入方向判別手段）。この挿入方向の判別の結果「表・正」の場合は払込書に記載されている記載内容が読み込まれて認識される。一方挿入方向の判別の結果「表・逆」の場合は、読み込まれたデータの正逆変換後、記載内容が認識される。
【００５２】
なお、払込書の決済を通帳に入金されている金額の引き去りによって行うために通帳が挿入された場合は、払込書が位置Ｐ５で停止（待機）している状態で、通帳を搬送して決済処理を行う。
【００５３】
次に、図８を参照して、上記挿入方向の判別の結果「表・正」及び「表・逆」からなる「表」搬送の場合の搬送位置を媒体Ｐの待機している図７の位置Ｐ５から説明する。
【００５４】
媒体Ｐが払込書で表搬送の場合、当該払込書の表裏反転は行わないので、分岐ゲートＧを右側に回動し、搬送ローラ対４１ｉ、４１ｄ、４１ｅ、４１ｆを正回転することによって媒体Ｐは前進搬送され、分岐ゲートＧによって位置Ｐ５から分岐搬送路４６に搬送される（図８のＰ６）。さらに前進搬送された媒体Ｐは、通帳ページ捲り・幅寄せ部５、ＰＬＦ検知部６を通過して印字部８で印字される。この際、媒体Ｐの挿入方向が「表・正」の場合は、通常に印字されるが、「表・逆」の場合は、媒体Ｐの前後が逆になっているため、文字を正逆変換した後に印字する（図８のＰ７）。
【００５５】
次に、図９を参照して、上記挿入方向の判別結果「裏」搬送の場合の搬送位置を説明する。
【００５６】
媒体Ｐが媒体挿入口２から挿入されると（図７の位置Ｐ１）、搬送ローラ対４１ａで挟持されて図示矢印Ａ方向に搬送される。このとき、図示しないセンサーによって媒体の形状が検知される。この検知によって当該媒体が払込書であることが認識される。以下、Ｐ１〜Ｐ５までは、図７の動作と同様であり、その説明を省略する。
【００５７】
次に、図１０を参照して、上記挿入方向の判別結果「裏」搬送の場合の搬送位置を説明する。なお、通帳を用いて決済する場合の通帳の動作は上述したのでその説明を省略する。
【００５８】
媒体ＰがＰ５の位置に到達すると、ＯＣＲスキャナ部７で当該媒体Ｐ表面の画像が読取られ、画像メモリ１１６に記憶されている媒体Ｐのフォーマットパターンと比較判別される。この比較判別によって媒体Ｐの挿入方向である表裏、正逆が判別される。この挿入方向の判別の結果「裏・正」、「裏・逆」からなる「裏」搬送である場合、媒体Ｐの表裏を反転する必要がある。このために、分岐ゲートＧを左側に回動して、搬送ローラ対４１ｉを正回転し、搬送ローラ対４１ｃ、４１ｂを逆回転させる。この結果、一時保留搬送路４７、分岐搬送路４５、左搬送路４０Ｌが連結され、媒体Ｐは位置Ｐ６を経て位置Ｐ７に達する。この際、媒体Ｐの表裏が反転する。
【００５９】
次に、分岐ゲートＧを初期位置に戻して、媒体Ｐを位置Ｐ８、Ｐ９、Ｐ１０と搬送する。この搬送の方法は既に説明したのと同様であるのでその説明を省略する。媒体Ｐが「表」になって搬送され、ＯＣＲスキャナ部７によって当該媒体Ｐ表面の画像が再度読取られ、画像メモリ１１６に記憶されている媒体のフォーマットパターンと比較判別される。この比較判別によって媒体Ｐの挿入方向が再度認識され、「表・正」、「表・逆」が判別される。以下、媒体Ｐは位置Ｐ１１、Ｐ１２と搬送されて印字部８で印字される。なお、その説明は、図８の説明と同様であるため、その説明を省略する。
【００６０】
以上の処理によって、媒体Ｐの挿入方向がどのような場合であっても正常に記載された払込書であれば上段払込書収納庫９又は下段払込書収納庫１０に収納される。また、この際に使用された通帳は挿入口２に排出される。
【００６１】
次に、図１１を参照して払込書の処理フローを説明する。  
払込書が挿入されると（Ｓ１）、上述したように払込書のサイズによって払込書であることが認識されると一時保留搬送路４７に搬送されて払込書の画像が取得される（Ｓ２）。
【００６２】
次に、取得された画像と画像メモリ１１６に記憶されているフォーマットパターンとが比較判別される（Ｓ３）。この比較判別の結果に基づいて払込書の挿入方向が決定される。この設定された挿入方向が前後逆方向の場合は、払込書読取データの正逆反転変換を行う（Ｓ４）。
【００６３】
上記、比較判別の結果設定された挿入方向が、表裏逆方向の場合は、表裏反転部４で表裏反転済みであるか判別される（Ｓ５）。表裏反転済みでない場合（Ｓ５のＮｏ）には表裏反転を行う（Ｓ６）。この表裏反転後、再度画像取得して（Ｓ２）挿入方向を判別する（Ｓ３）。
【００６４】
次に、判別された挿入方向に基づいて払込書に記載された記載内容のチェックを行う（Ｓ７）。
【００６５】
この文字データの確認結果、払込書としての記載内容に不備がない場合（Ｓ７のＯＫ）、払込書を印字部８に搬送して印字を行う（Ｓ８）。この印字終了後、払込書を上段払込書収納庫９又は下段払込書収納庫１０に収納する（Ｓ９）。
【００６６】
一方、記載内容のチェックで、認識できなかった場合（Ｓ７の取扱不可）。払込書を操作者に返却する表示を行う（Ｓ１０）。さらに払込書を挿入口２に返却する（Ｓ１１）。また、利用者に対して、返却された払込書をもって窓口に出向くように窓口誘導処理を行う（Ｓ１２）。
【００６７】
なお、上述した実施例では第２の搬送手段である一時保留搬送路４７にＯＣＲスキャナ部７を設けたが、ＯＣＲスキャナ部７を第1の搬送手段上に設け、一時保留搬送路４７の下流に上段払込書収納部９及び下段払込書収納部１０を設けるようにしてもよい。
【００６８】
以上のように、本実施例によれば、操作者が帳票類の前後又は表裏を間違えて挿入した場合であっても再挿入の必要がない帳票類取扱装置を提供できる。また、一時保留搬送路４７が設けられており一時退避が可能になるため、本実施例のように通帳と払込書を同時に処理すことができる帳票類取扱装置を提供できる。
【図面の簡単な説明】
【００６９】
【図１】本発明の実施例による複合媒体取扱装置を搭載した自動預払装置の外観図。
【図２】本発明の複合媒体取扱装置の概略側断面図。
【図３】縦型通帳の見開き図。
【図４】横型通帳の見開き図。
【図５】払込書を説明する図。
【図６】制御部ブロック図。
【図７】払込書の表を上にして搬送した場合の動作を説明する図（その１）。
【図８】払込書の表を上にして搬送した場合の動作を説明する図（その２）。
【図９】払込書の裏を上にして搬送した場合の動作を説明する図（その１）。
【図１０】払込書の裏を上にして搬送した場合の動作を説明する図（その２）。
【図１１】払込書の処理を説明するフローチャート。
【符号の説明】
【００７０】
Ｇ  分岐ゲート
Ｐ  媒体
２  媒体挿入口
３  磁気読取・書込部
４  表裏反転部
５  通帳ページ捲り・幅寄せ部
６  ＰＬＦ検知部
７  ＯＣＲスキャナ部
８  印字部
９  上段払込書収納庫
１０  下段払込書収納庫
２０  縦型通帳
２２  横型通帳
２７  払込書
４０Ｌ  左搬送路
４０Ｒ  右搬送路
４１ａ〜４１ｉ  搬送ローラ対
４５、４６  分岐搬送路
４７  一時保留搬送路
９９  自動預払装置
１０１  複合媒体取扱装置
１０５  主制御部
【図１】
2006107006.tif 000003
【図２】
2006107006.tif 000004
【図３】
2006107006.tif 000005
【図４】
2006107006.tif 000006
【図５】
2006107006.tif 000007
【図６】
2006107006.tif 000008
【図７】
2006107006.tif 000009
【図８】
2006107006.tif 000010
【図９】
2006107006.tif 000011
【図１０】
2006107006.tif 000012
【図１１】
2006107006.tif 000013